(57)【要約】  配線用ハーネスに接続されたセンサを保護するアセンブリが開示される。アセンブリは、センサを受取るためのボアを有する熱シールドを含む。細長いハーネススリーブは、熱シールドのボアを通ってセンサから外向きに延在し、ハーネススリーブは配線用ハーネスを囲む。熱シールドをハーネススリーブに沿った予め定められた位置で保持するための位置決め装置は、ハーネススリーブおよび熱シールドの両方を係合する。位置決め装置は、中央の空間を囲む伸長されたバンド部から形成される。柔軟で弾力のある複数のフィンガ部がバンド部に位置決めされ、中央の空間へ内向きに延在する。フィンガ部は強制的にハーネススリーブを係合し、装置と、センサを囲むハーネススリーブに沿った予め定められた位置においてフィンガ部が係合する熱シールドとを保持する。
2008513702.tif 000002
【特許請求の範囲】
【請求項１】
第２の細長い部材に沿った予め定められた位置で第１の細長い部材を保持するための位置決め装置であって、前記第２の細長い部材は前記第１の細長い部材を通って延在するボア内に位置決めされ、前記位置決め装置は、
中央の空間を囲むバンド部と、
柔軟で弾力のある複数のフィンガ部とを含み、前記フィンガ部は前記バンド部のまわりで間隔を置いた関係で位置決めされ、各前記フィンガ部は、前記バンド部に取付けられた第１の端部および前記中央の空間内に内向きに延在する第２の端部を有し、前記第２の端部は前記中央の空間内に受取られる前記第２の細長い部材と係合可能であって、前記バンド部および前記フィンガ部は、前記第２の細長い部材に沿って方向付けられる、前記フィンガ部と前記第２の細長い部材との間の抵抗を克服するのに十分な力が前記バンド部に加えられると、前記第２の細長い部材に沿って前記予め定められた位置まで摺動可能に可動であり、前記フィンガ部は前記第２の細長い部材を強制的に係合し、前記力がない場合は前記バンド部を前記予め定められた位置に保持し、前記バンド部は、前記第１の細長い部材を前記第２の細長い部材に沿った前記予め定められた位置に保持するために前記第１の細長い部材と係合可能である、位置決め装置。
【請求項２】
前記バンド部は環状の外周を有する、請求項１に記載の位置決め装置。
【請求項３】
前記バンド部は伸長されている、請求項１に記載の位置決め装置。
【請求項４】
前記バンド部は、前記第１の細長い部材の前記ボア内に相互適合するようサイズ決めされる、請求項３に記載の位置決め装置。
【請求項５】
前記バンド部はテーパ状である、請求項３に記載の位置決め装置。
【請求項６】
前記バンド部に取付けられてそこから外向きに延在するリムをさらに含み、前記リムは前記第２の細長い部材と係合可能である、請求項３に記載の位置決め装置。
【請求項７】
前記リムは前記バンド部の一方端に取付けられる、請求項６に記載の位置決め装置。
【請求項８】
前記フィンガ部は、前記バンド部の前記一方端に対向する端部に位置決めされる、請求項７に記載の位置決め装置。
【請求項９】
前記フィンガ部は前記バンド部の前記一方端に位置決めされる、請求項７に記載の位置決め装置。
【請求項１０】
前記フィンガ部は楔形状であって、前記第１の端部は前記第２の端部より広い、請求項１に記載の位置決め装置。
【請求項１１】
前記フィンガ部の少なくとも１つの前記第２の端部は前記第２の細長い部材に対して補足的な形状を有する、請求項１に記載の位置決め装置。
【請求項１２】
位置決め装置および細長い部材の組合せであって、前記位置決め装置は前記細長い部材に沿った予め定められた位置でスリーブを保持し、前記細長い部材は前記スリーブを通って延在するボア内に位置決め可能であり、前記組合せは、
中央の空間を囲み、前記スリーブと係合可能であるバンド部と、
柔軟で弾力のある複数のフィンガ部とを含み、前記フィンガ部は前記バンド部のまわりで間隔を置いた関係で位置決めされ、各前記フィンガ部は、前記バンド部に取付けられた
第１の端部および前記中央の空間内に内向きに延在する第２の端部を有し、前記第２の端部は前記中央の空間内に受取られる前記細長い部材と係合可能であって、前記バンド部および前記フィンガ部は、前記細長い部材に沿って方向付けられる、前記フィンガ部と前記細長い部材との間の抵抗を克服するのに十分な力が前記バンド部に加えられると、前記細長い部材に沿って前記予め定められた位置まで摺動可能に可動であり、前記フィンガ部は前記細長い部材を強制的に係合し、前記力がない場合は前記バンド部を前記予め定められた位置に保持し、前記バンド部は、前記スリーブを前記細長い部材に沿った前記予め定められた位置に保持するために前記スリーブと係合可能である、位置決め装置および細長い部材の組合せ。
【請求項１３】
前記細長い部材は複数の波状部を含み、前記フィンガ部は前記波状部を係合し、それにより前記バンド部を前記予め定められた位置に維持し、前記フィンガ部は弾力的に柔軟であって、前記細長い部材に相対した前記バンド部の運動の際に前記波状部を渡る、請求項１２に記載の組合せ。
【請求項１４】
前記バンド部は環状の外周を有する、請求項１２に記載の位置決め装置。
【請求項１５】
前記バンド部は伸長されている、請求項１２に記載の位置決め装置。
【請求項１６】
前記バンド部は、前記細長い部材の前記ボア内に相互適合するようサイズ決めされる、請求項１５に記載の位置決め装置。
【請求項１７】
前記バンド部はテーパ状である、請求項１５に記載の位置決め装置。
【請求項１８】
前記バンド部に取付けられてそこから外向きに延在するリムをさらに含む、請求項１５に記載の位置決め装置。
【請求項１９】
前記リムは前記バンド部の一方端に取付けられる、請求項１８に記載の位置決め装置。
【請求項２０】
前記フィンガ部は、前記一方端に対向する、前記バンド部の端部に位置決めされる、請求項１９に記載の位置決め装置。
【請求項２１】
前記フィンガ部は前記バンド部の前記一方端に位置決めされる、請求項１９に記載の位置決め装置。
【請求項２２】
前記フィンガ部は楔形状であって、前記第１の端部は前記第２の端部より広い、請求項１２に記載の位置決め装置。
【請求項２３】
前記フィンガ部の少なくとも１つの前記第２の端部は前記細長い部材に対して補足的な形状を有する、請求項１２に記載の位置決め装置。
【請求項２４】
配線用ハーネスに接続されたセンサを保護するためのアセンブリであって、前記アセンブリは、
前記センサを受取るためのボアを有する熱シールドと、
前記熱シールドの前記ボアを通って前記センサから外向きに延在するよう位置決め可能な細長いハーネススリーブとを含み、前記ハーネススリーブは前記配線用ハーネスを囲むよう位置決め可能であり、前記アセンブリはさらに、
熱シールドを前記ハーネススリーブに沿った予め定められた位置で保持するための位置決め装置を含み、前記位置決め装置は、
中央の空間を囲む伸長されたバンド部と、
柔軟で弾力のある複数のフィンガ部とを含み、前記フィンガ部は前記バンド部のまわりで間隔を置いた関係で位置決めされ、各前記フィンガ部は、前記バンド部に取付けられた第１の端部および前記中央の空間に内向きに延在する第２の端部を有し、前記第２の端部は前記ハーネススリーブと係合可能であって、前記位置決め装置はさらに、
前記バンド部に取付けられてそこから外向きに延在するリムと、
前記バンド部とを含み、前記フィンガ部および前記リムは、前記ハーネススリーブに沿って方向付けられる、前記フィンガ部と前記ハーネススリーブとの間の抵抗を克服するのに十分な力が前記バンド部に加えられると、前記ハーネススリーブに沿って前記予め定められた位置まで摺動可能に可動であり、前記フィンガ部は前記ハーネススリーブを強制的に係合し、前記力がない場合は前記バンド部を前記予め定められた位置に保持し、前記バンド部の１つおよび前記リムは前記熱シールドと係合可能であってそれを前記ハーネススリーブに沿った前記予め定められた位置に保持する、アセンブリ。
【発明の詳細な説明】
【技術分野】
【０００１】
発明の技術分野
本発明は、センサまたは他の物体を覆う保護スリーブまたは他の細長い物品を予め定められた位置に位置決めし、保持するための装置に関する。
【背景技術】
【０００２】
発明の背景
エンジン動作および性能を制御するためのデータを与える、酸素センサなどの自動車の用途に用いられるセンサは、車両動作中の極度の放射熱および恒常的な振動を含む厳しい環境に晒される車両のエンジン室内にしばしば取付けられる。厳しい環境を考慮すると、振動を減衰し、放射熱を反射することができる保護スリーブによって比較的繊細なセンサを覆うことが有利である。そのようなスリーブは、たとえばポリエステルフェルトなどの不織布材料の内部減衰層を有する細長い管をしばしば含む。内部減衰層は、たとえば重合フィラメントの織ったスクリムまたは高分子シート材などの補強層で積層されたアルミホイル層を含む反射層に囲まれる。
【発明の開示】
【発明が解決しようとする課題】
【０００３】
保護スリーブの性質とその環境に起因して、スリーブが所望の位置に確実に固定されることを可能にしつつ、センサの設置および整備のために容易に取外し可能にする態様でセンサにスリーブを取付けるのは困難である。取付けを達成するために接着剤、テープおよび摩擦嵌めが用いられるが、これらの方法はすべてさまざまな欠点を有する。接着によるセンサの取付けは一般に確実である一方、スリーブをセンサに恒久的に取付けてしまう。その結果、この方法では、センサの整備のためにスリーブを容易に取外して再使用することができない。テープおよび摩擦嵌めは信頼性が低く、エンジン室内のセンサおよびその保護スリーブが遭遇する熱および振動を考慮すると、どうしても実現不可能である。厳しい環境要因に直面しても所望の予め定められた位置に保護スリーブを確実に固定的に位置決めし、保持することができ、なおもセンサの整備のために必要なスリーブの取外しおよび再使用を繰返すことが可能であるよう容易に可動な装置が明らかに必要である。
【課題を解決するための手段】
【０００４】
発明の要約
発明は、第２の細長い部材に沿った予め定められた位置において第１の細長い部材を保持するための位置決め装置に関連する。第２の細長い部材は、第１の細長い部材を通って延在するボア内に位置決めされる。位置決め装置は中央の空間を囲むバンド部を含む。柔軟で弾力のある複数のフィンガ部がバンド部に取付けられる。各フィンガ部は、バンド部に取付けられた第１の端部と中央の空間に内向きに延在する第２の端部とを有する。第２の端部は、中央の空間内に受取られる第２の細長い部材と係合可能である。バンド部とフィンガ部とは、第２の細長い部材に沿って方向付けられる力がバンド部に加えられると、第２の細長い部材に沿った予め定められた位置まで摺動可能に可動である。バンド部を動かすために、力はフィンガ部と第２の細長い部材との間の抵抗を克服するのに十分でなければならない。フィンガ部は第２の細長い部材を強制的に係合し、力がない場合はバンド部を予め定められた位置に保持する。バンド部は、第２の細長い部材に沿った予め定められた位置に第１の細長い部材を保持するためにそれを係合可能である。
【０００５】
好ましくは、バンド部は伸長され、環状の外周を有し、テーパ状であってもい。バンド部は、第１の細長い部材のボア内に相互適合するようにサイズ決めされてもよい。リムが
バンド部に取付けられてそこから外向きに延在する。リムは第１の細長い部材と係合可能である。
【０００６】
実用的な適用例では、本発明は、配線用ハーネスに接続されたセンサ上で熱シールドを定位置に保持するために用いられるアセンブリを含む。アセンブリは、センサを受取るためのボアを有する熱シールドと、熱シールドのボアを通ってセンサから外向きに延在するよう位置決め可能な細長いハーネススリーブと（ハーネススリーブは配線用ハーネスを囲んで保護するよう位置決め可能である）、熱シールドをハーネススリーブに沿った予め定められた位置で保持するための上述の位置決め装置とを含む。
【発明を実施するための最良の形態】
【０００７】
好ましい実施例の詳細な説明
図１は、車両のエンジン室１６内に取付けられたセンサ１４の上に保護センサスリーブ１２を添えるために用いられる、本発明による位置決め装置アセンブリ１０の分解図を示す。この例において、センサスリーブ１２は、センサ１４を受取るようサイズ決めされたボア２０を有する細長い管１８を含む。管１８は、減衰層２２および外向きに面する反射層２４から形成されるのが好ましい。
【０００８】
センサ１４、たとえば酸素センサは、それがエンジン動作および性能を制御するためにマイクロプロセッサによって用いられるデータを与えるマイクロプロセッサ（示されない）に、配線用ハーネス２６を介して接続される。好ましくは、配線用ハーネス２６は、実質的にハーネスの長さに沿って延在する細長い保護ハーネススリーブ２８によって覆われる。ハーネススリーブ２８は、好ましくは高分子材料から押出成形され、外周に延在して径方向の剛性および曲げ柔軟性を与える波形部３０を有する。
【０００９】
位置決め装置アセンブリ１０は、ハーネススリーブ２８と、ハーネススリーブ２８およびセンサスリーブ１２の両方を係合する（詳細に下記に説明される）位置決め装置３２とを含む。使用中、図１および図２を比較して示されるように、ハーネススリーブ２８はセンサスリーブ１２のボア２０内に受取られる。センサスリーブ１２はハーネススリーブ２８の長さ方向に沿って動かされ、センサ１４を囲んで位置決めされる。位置決め装置３２は、ハーネススリーブ２８と係合される一方、ハーネススリーブの長さ方向に沿って動かされ、たとえばボア２０内に受取られるセンサスリーブ１２と係合する。位置決め装置がハーネスおよびセンサスリーブの両方を係合することにより、センサスリーブが、センサ１４を囲んで保護するセンサスリーブと一致するハーネススリーブに沿った予め定められた位置において添えられる。
【００１０】
図３から図６は、本発明による位置決め装置のさまざまな実施例を詳細に示す。その好ましい実施例では、図３に示される位置決め装置３２は、ナイロンなどの柔軟で弾力のある耐熱性ポリマから形成され、中央の空間３６を囲むバンド部３４を含む。バンド部３４は好ましくは伸長され、図２に示されるようにセンサスリーブ１２のボア２０を容易に係合し得るように、環状の外周を有する。図３を再び参照して、好ましくはバンド部３４の端部に位置決めされた柔軟で弾力のある複数のフィンガ部３８は、中央の空間３６に向かって内向きに延在する。この実施例におけるフィンガ部３８は楔形状であって、バンド部３４のまわりに互いに間隔を置いて位置決めされる。各フィンガ部３８は自由端３８ａを有し、自由端は、ハーネススリーブ（図１および図２を参照）または自由端が係合する他の細長い物品に対して実質的に補足的な形状を有するのが好ましい。フィンガ部３８は、自由端３８ａに対向して、片持梁ばねの態様でバンド部３４に固定される。片持梁作用は、フィンガ部端３８ａが弾力的に変位して位置決め装置３２がハーネススリーブ２８に相対して動かされることを可能にするので、有利である。図１および図２に示されるように、波状のハーネススリーブ２８がフィンガ部３８と共に用いられると特に有利である。な
ぜならば、交互の尾根部３０ａおよび谷部３０ｂから形成される波状部３０によってフィンガ部３８に自然な係合機能が与えられ、それにより位置決め要素３２の確実な位置決めを保証しつつ、ハーネススリーブに沿って方向付けられる力を適用したときになおも容易に動くことが可能だからである。十分な大きさでバンド部３４に適用されるそのような力によって、フィンガ部３８は片持梁の態様で変位し、かつ端部３８ａが尾根部３０ａの上に乗り、谷部３０ｂに弾力的に嵌め込まれて位置決め装置３２のための新たな位置を確立することが可能になる。さらに、波状部３０がない場合は、フィンガ端部３８ａと、それが係合する細長い物品との間の摩擦に依存することも実現可能である。さらに、フィンガ部３８は、保護スリーブがない場合は直接配線用ハーネスを係合してもよいので、細長い物品はハーネススリーブ２８である必要はない。いずれの実施例についても、位置決め装置３２を移動させるために与えられる力は、フィンガ部３８とそれが係合するいずれかの細長い構成要素との間の抵抗を克服するのに十分でなければならない。
【００１１】
リム４０がバンド部３４に取付けられる。この例では、リム４０はフィンガ部３８と同じ端部に位置決めされる。リム４０はバンド部３４から径方向に外向きに延在し、位置決め装置３２がセンサスリーブ１２を係合すると停止部の役割をする。
【００１２】
図４は、位置決め装置の代替的実施例３３を示し、装置３２に実質的に類似するが、フィンガ部３８は互いに隣接して位置決めされる。
【００１３】
図５は、本発明による位置決め装置の代替的実施例４２を示す。位置決め装置４２は、複数のフィンガ部４６が取付けられる、伸長されたテーパ状のバンド部４４を含む。バンド部４４は中央の空間４８を規定し、フィンガ部４６がそこに延在する。フィンガ部４６はバンド部４４のまわりに互いに隣接して外周的に配列される（代替として、間隔を置いた関係でもよい）。好ましくは、フィンガ部４６の端部４６ａは、使用中にそれらが係合する細長い物品を収容するような形状（この場合円弧を有する形状）とされる。リム５０はバンド部４４から径方向に延在し、リムはバンド部４４においてフィンガ部４６に対向する端部に位置決めされる。
【００１４】
位置決め装置のさらに別の代替的実施例５２が図６に示される。ここでも、装置５２は、柔軟で弾力のある複数のフィンガ部５６が取付けられたバンド部５４を含む。バンド部５４は以前に説明された実施例のようには伸長されていないが、しかしながら、フィンガ部５６が延在する中央の空間５８を規定する。
【００１５】
本発明による位置決め装置および位置決めアセンブリは、配線用ハーネスなどの細長い物品に沿った予め定められた位置で保護スリーブまたは他の物品を固定するために多数の利点を備える。それらは、構成要素を保護するために所望の位置で固定的に保護スリーブを固定し、なおもスリーブの位置を変えるために細長い物品に沿って容易に移動することができる。これにより、スリーブが構成要素メンテナンスのために物品から素早く取除かれ、スリーブを損傷することなく構成要素を保護するために容易に位置を変えることができ、それにより再使用が可能になる。さらに、位置決めアセンブリまたは装置は、構成要素、配線用ハーネス、ハーネススリーブおよび構成要素スリーブを含むサブアセンブリの一部であることができる。保護スリーブを組立てるステップがなくなるので、これはサブアセンブリを車両に組込む際に時間を節約する。
【図面の簡単な説明】
【００１６】
【図１】本発明によるセンサを保護するためのアセンブリの分解断面図である。
【図２】図１に示されるアセンブリの断面図である。
【図３】斜視図で示される、本発明によるアセンブリと共に用いられる位置決め装置のさまざまな実施例である。
【図４】斜視図で示される、本発明によるアセンブリと共に用いられる位置決め装置のさまざまな実施例である。
【図５】斜視図で示される、本発明によるアセンブリと共に用いられる位置決め装置のさまざまな実施例である。
【図６】斜視図で示される、本発明によるアセンブリと共に用いられる位置決め装置のさまざまな実施例である。
【図１】
2008513702.tif 000003
【図２】
2008513702.tif 000004
【図３】
2008513702.tif 000005
【図４】
2008513702.tif 000006
【図５】
2008513702.tif 000007
【図６】
2008513702.tif 000008
【国際調査報告】
2008513702.tif 000009